(57)【要約】  本発明は、液体チャンバーに貯蔵された液体バーにより形成された液体バーコード（liquid barcode）を用いる商品認証及び識別装置に関するものである。  本発明は、液体の充填されたバー形状のチャンバーで形成された液体バーと、前記液体バー間のギャップに形成されたスペースバーと、複数の液体バー及びスペースバーを並列に配置して集積することによって形成されたプラスチックボディーと、を含み、前記プラスチックボディーは、選択的に磁気テープをさらに含む、液体バーコードである。
2011503686.tif 000002
【特許請求の範囲】
【請求項１】
液体の充填されたバー形状のチャンバーで形成された液体バーと、
前記液体バー間のギャップに形成されたスペースバーと、
複数の液体バー及びスペースバーを並列に配置して集積することによって形成されたプラスチックボディーと、
を含み、
前記プラスチックボディーは、選択的に磁気テープをさらに含む、液体バーコード。
【請求項２】
前記液体バーコードの余白（quiet zone）の液体バーは、ブランクソリューションを貯蔵する、請求項１に記載の液体バーコード。
【請求項３】
前記液体バーは、異なる大きさ、異なる密度または異なる３次元構造のナノ粒子を含む液体で形成される、請求項１に記載の液体バーコード。
【請求項４】
前記プラスチックボディーは、反射層をさらに含む、請求項１に記載の液体バーコード。
【請求項５】
前記プラスチックボディーは、磁気カード、バイオディスクまたは薄膜化学分析機上に集積される、請求項１に記載の液体バーコード。
【請求項６】
請求項１、２及び５のいずれか一項に記載のバーコードのグループから選択された液体バーコードの光特性を読み取る分光計と、
前記分光計を制御し及び／またはバイオディスクまたは薄膜化学分析機を駆動する中央処理装置（ＣＰＵ）と、
を含む液体バーコードリーダー。
【請求項７】
前記分光計の光源は、白色光発光ダイオード（ＬＥＤ）、ＲＧＢレーザー、レーザーダイオード（ＬＤ）モジュール及び電子フラッシュの中から選択された一つである、請求項６に記載の液体バーコードリーダー。
【請求項８】
前記プラスチックボディーが挿入または排出されるスリットをさらに含む、請求項６に記載の液体バーコードリーダー。
【請求項９】
前記プラスチックボディーに含まれる磁気テープの情報を読み取る磁気カードリーダーをさらに含む、請求項６に記載の液体バーコードリーダー。
【請求項１０】
前記分光計が装着され、前記分光計の所定位置を前記バイオディスク上で放射方向に移動させるスライダーと、
前記バイオディスクを回転させるスピンドルモーターと、
前記スライダーの移動を制御するスライドモーターと、
をさらに含む、請求項６に記載の液体バーコードリーダー。
【請求項１１】
前記スライダー上に光ピックアップ装置がさらに装着される、請求項１０に記載の液体バーコードリーダー。
【請求項１２】
前記分光計は、前記バイオディスク上の液体バーコードを読み取るに先立って、前記スライダーによる放射方向移動及び方位角検索を行う、請求項１０に記載の液体バーコードリーダー。
【請求項１３】
前記方位角検索は、前記バイオディスクが回転する間に、基準トリガー信号及び周波数発生器（ＦＧ）信号を参照して前記分光計から得た検出信号から液体バーコード中の信号を獲得したり、余白を参照して前記分光計から得た検出信号から液体バーコード領域中の信号を獲得することによってなる、請求項１２に記載の液体バーコードリーダー。
【請求項１４】
前記方位角検索は、バイオディスクが回転していると共に最も狭い要素よりも１０倍広い幅を有する場合には余白の吸収性が常に“０”という情報を用いて余白を認識することによってなる、請求項１２に記載の液体バーコードリーダー。
【請求項１５】
前記ＣＰＵは、前記分光計により読み取られた液体バーコードを認識し、前記液体バーコードの情報を遠隔で伝送し、商品が本物か否かに関する情報、商品識別情報及び商品情報及び／または認証情報を遠隔サーバーで受信する通信部を提供する入出力装置をさらに含む、請求項６に記載の液体バーコードリーダー。
【請求項１６】
前記ＣＰＵは、前記バーコードまたは磁気テープの情報を認識し、通常の光ディスク（コンパクトディスク（ＣＤ）、デジタルビデオディスク（ＤＶＤ））または使用不可能なバイオディスクがローディングされたと判定されると、ディスクを排出したりユーザーに警告メッセージを伝達する、請求項６に記載の液体バーコードリーダー。
【請求項１７】
前記ＣＰＵは、前記ローディングされたバイオディスクから読み取られた液体バーコードまたは磁気テープの情報を認識し、前記バイオディスクが既に用いられたものと判定されると、前記ディスクを排出したり警告メッセージをユーザーに伝達する、請求項６に記載の液体バーコードリーダー。
【請求項１８】
前記ＣＰＵは、前記ローディングされたディスクから読み取られた液体バーコードまたは磁気テープの情報を認識し、前記バイオディスクの有効期間が経過したと判断されると、前記ディスクを排出したり警告メッセージをユーザーに伝達する、請求項１６に記載の液体バーコードリーダー。
【請求項１９】
前記液体バーコードまたはクレジットカード上の液体バーコード及び磁気テープの読み取りを通じて、前記クレジットカードが本物であることを認識する、請求項６に記載の液体バーコードリーダー。
【請求項２０】
前記ＣＰＵは、前記液体バーコードリーダー上にローディングされたディスクが通常の光ディスクかまたはバイオディスクか判定し、前記ディスクが通常の光ディスクであれば、前記ＣＰＵは、前記光ピックアップ装置により前記ディスクから読み取られたデータを格納装置または入出力装置に伝送したり、前記光ディスクに書き込まれるデータを伝送すること、再生または記録に必要な様々な制御信号を前記光ピックアップ装置に提供すること、を含む光ディスクに対する通常の動作を行い、前記ディスクがバイオディスクであれば、前記ＣＰＵは、ラボオンチップ（lab-on-a-chip）のプロセスを制御する様々な制御命令信号を、前記スピンドルモーター、スライドモーター及び分光計に提供する、請求項１１に記載の液体バーコードリーダー。
【請求項２１】
前記分光計は、前記バイオディスク内の生化学反応チャンバーの反応結果をさらに読み取る、請求項１０に記載の液体バーコードリーダー。
【発明の詳細な説明】
【技術分野】
【０００１】
本発明は、液体チャンバーに貯蔵された液体バーにより形成された液体バーコード（liquid barcode）を用いる商品認証及び識別装置に関するものである。
【背景技術】
【０００２】
バーコードは、２進コードを表現する白色及び黒色のバー形状部分の組合せを含む。バーコードは、データを迅速に入力するのに用いられ、コンピュータに容易に読み込まれることができる。バーコードは、コンピュータに接続された光マークリーダにより自動で読み取られて、コンピュータに入力及び格納されたり認識されたりする形態を有することができる。バーコードは、世界商品コード（universal product code; UPC）に従う商品タイプを表したり、スーパーマーケットなどで販売情報のＰＯＳ（point-of-sale）システムに用いられる。バーコードに対応する商品の価格は、ディスプレイ装置上に別途にディスプレイされることができる。バーコードは、ＵＰＣなどの標準に従ってエンコーディングされ、バーコードスキャナー及びデコーダで構成されたリーダを通じてデコーディングされる。スキャナーがバーコードを読み取ると、コードは、デコーダに伝送されてデコーディングされ、理解されうるような情報に変換されることができる。バーコード内の情報のデコーディングは、スキャナーにより行われる。バーコードの黒色バー部分である黒色バーは、少量の光をスキャナーに反射するのに比べて、黒色バーの間に配置された白色スペースバーはより多量の光を反射し、反射された光量の差はスキャナー内のフォトディテクタにより電気信号に変換され、信号の読み取りが可能になるわけである。
【０００３】
従来、バーコードの読み取りにおいてハンドヘルドスキャナーが用いられた。最近では、レーザー型スキャナーが主に用いられている。レーザー型において、バーコードの印刷された商品をリーダーを横切って移動させることによってバーコードが自動で読み取られ、より効率的な作業が可能になった。省力化フィールドでは、バーコードを処理対象物に付着し、該バーコードから製品番号及び商品番号を認識可能にすることによって、作業に必要な様々なアイテムの識別を容易にすることができる。また、バーコードは、商店での販売情報、図書館での本の管理、識別証明書及び商品の識別を含む多様な目的のために用いられることができる。バーコードは紙の他にも様々な物質上に印刷することができ、所望の情報が迅速にアクセスできるという利点を有する。しかし、バーコード中の情報容量には制限があり、商品に関する全てタイプの情報をバーコードから完全に把握することはできないという短所がある。このような短所を補償するために、２次元（２Ｄ）バーコード、すなわち、マトリクスコードが最近開発されている。
【０００４】
２Ｄバーコードが従来のバーコードと格別な差異点を有するわけではないが、従来の線形バーコードに用いられた線形配列の代わりに、約４，０００文字が黒色及び白色の長方形のモザイク型配列にコーディングされることができるため、より多い情報を含むことができる。しかし、かかる２Ｄバーコードは、次のような２つの問題点を有する。第一に、バーコード複写が可能なため、バーコードから得られる情報の信頼性及び正確性が低下する。第二に、情報が白色及び黒色により２進コードで表現されるため、２Ｄバーコードを含むあらゆる従来バーコードの情報量は制限される。そこで、この種の問題点を克服するために、本発明の実施形態は、一連の複数のチャンバーがバー形状の液体バーとして形成されて並列に配列された液体バーコードを提供する。
【０００５】
従来のクレジットカードは磁気認識方法を採用する。ユーザーがクレジットカードなどの磁気カードを現金自動入出金機（ＡＴＭ）またはカードリーダーに通過させると、カードに記録された磁気情報は電気信号に変換される。この信号はリーダーの内部に伝送され、所定の２進コードに変換されることで、カード中の情報が入力される。磁気カードは、磁気テープが一般のクレジットカードなどのＰＶＣカードに付着されて用いられる。磁気認識方法は、基本情報の記録及び付加情報の容易な記録及び削除を許容するという点から広く用いられている。しかし、この方法は、複写可能であるという問題点を有する。
【発明の概要】
【発明が解決しようとする課題】
【０００６】
本発明は、液体バーコード、及びラボオンディスク（lab-on-a-disc）及び流体中の少量の物質を診断して検出するラボオンチップ（lab-on-a-chip）、蛋白質チップ、ＤＮＡチップなどのバイオチップが集積されたバイオディスクなどの薄膜化学分析機、クレジットカード及び他の商品の商品認証及び識別に利用可能な液体バーコードを読み取る液体バーコードリーダーを提供する。
【課題を解決するための手段】
【０００７】
以下、バー形状チャンバーを“液体バー”という。
本発明の一形態によれば、液体を貯蔵する一連の液体バーがプラスチックボディー内に並列に集積された液体バーコードを提供する。例えば、本発明の一形態によれば、液体の充填されたバー形状チャンバーで形成された液体バー；前記液体バー間の空隙に形成されたスペースバー；及び、複数の液体バー及びスペースバーを並列に配置して集積することによって形成されたプラスチックボディーを含む液体バーコードを提供する。前記プラスチックボディーは選択的に磁気テープをさらに含むことができる。
【０００８】
本発明の他の形態によれば、液体バーコードの集積されたプラスチックボディーと液体バーコードの光特性を読み取る分光計とを含む液体バーコードリーダーを提供する。
【０００９】
液体バーコードにおいて、液体バーは、バーの上部及び下部に数字情報をさらに含むことができる。数字情報は、商品アイテムコード、メーカーコードまたは国識別コードでありうる。
液体バーコードの余白の液体バーは、背景（ブランク）ソリューションを貯蔵することができる。
【００１０】
液体バーは、それぞれ異なる大きさのナノ粒子を含む一連の液体バーで形成されることができる。液体バーは、それぞれ異なる密度のナノ粒子を含む一連の液体バーで形成されることができる。液体バーは、それぞれ異なる３次元構造のナノ粒子を含む一連の液体バーで形成されることができる。液体バーコードは、それぞれの液体バーに貯蔵された様々な液体、液体バーの幅、液体バーの個数、またはスペースバーの幅の様々な組合せにより多くの情報を含むことができる。
【００１１】
液体バー間の空間は、スペースバーとすることができる。例えば、液体バー間のギャップは、スペースバーを形成することができる。
プラスチックボディーは、上部基板及び下部基板を積層することによって形成されることができる。液体バーコードは、上部基板及び／または下部基板により刻まれた一連のバー形状のものにより形成されることができる。
プラスチックボディーの上部基板は、反射層をさらに含むことができる。
プラスチックボディーは、磁気テープをさらに含むことができる。
【００１２】
本発明の他の形態によれば、液体バーコードの光特性を読み取る分光計；及び、前記分光計を制御し及び／またはバイオディスクまたは薄膜化学分析機を駆動する中央処理装置（ＣＰＵ）を含む液体バーコードリーダーを提供する。
液体バーコードリーダーは、光が入力または出力されるスリットをさらに含む。
液体バーコードリーダーは、磁気テープの情報を読み取る磁気カードリーダーをさらに含むことができる。
【００１３】
液体バーコード中の液体は透明である、または、不透明ではあるが可視帯域では透明でありうる。
液体バーコードは、薄膜化学分析機内に配列されて、薄膜化学分析機に対する商品認証及び分析機能を提供することができる。
液体バーコードチャンバー及び磁気テープが薄膜化学分析機上に配列され、薄膜化学分析機上の商品情報を格納し、分析結果を格納し、付加情報を記録できる液体バーコードを提供することができる。例えば、液体バーコードの複写が不可能なため、薄膜化学分析機の商品認証及び識別に用いられることができ、磁気テープが、薄膜化学分析機に対する商品情報を格納し、分析結果を格納し、付加情報を記録するのに用いられることができる。
【００１４】
薄膜化学分析機用の液体バーコード及び磁気テープは、薄膜化学分析機の外周部上に配列されることができる。
プラスチックボディーは、接着テープの形態にすることができる。この場合、液体バーコードが、商品識別及び認証を要求する商品に付着されることができる。
薄膜ボディーが商品の一部を形成したり商品に付着されたりして、商品が本物か判定できるようにする液体バーコードを提供することができる。商品は高価のハンドバッグ、美術品、デジタルビデオディスク（ＤＶＤ）、バイオディスク、薄膜化学分析機、メモリカード、クレジットカード、入場カード、高価の商品でありうる。
【００１５】
液体バーに貯蔵された液体は、ゲル状態の液体を含むことができる。薄膜化学分析機は、ＥＬＩＳＡ／ＣＬＩＳＡ分析方法が適用されるラボオンチップ、急速テスト方法が適用されるラボオンチップ、免疫方法が適用されるラボオンチップ、生化学方法が適用されるラボオンチップ、または食品中毒細菌、残余抗生剤、残余農薬、汚染水中の重金属、遺伝子操作食品、食品アレルギー、汚染された物質、大腸菌またはサルモネラ菌などの細菌、実子確認、肉類、及び血統識別の調査のためのラボオンチップ等、流体中の少量の化学物質またはバイオ物質（サンプル）を診断または検出するラボオンチップまたは薄膜分析機を集積するバイオディスクを含むことができる。
【００１６】
バイオ物質（サンプル）は、ＤＮＡ、オリゴヌクレオチド、ＲＮＡ、ＰＮＡ、リガンド、レセプター、抗原、抗体、牛乳、小便、唾液、髪の毛、作物及び野菜サンプル、肉サンプル、魚サンプル、鳥サンプル、汚染水、家畜サンプル、食品サンプル、食品材料、貯蔵食品、口腔細胞、組織細胞、唾液、精液、蛋白質、または他のバイオマスから選択された一つ以上を含むことができる。食品材料は、食品を準備する材料であり、例えば、シチュー用食品材料、キムチ用食品材料、スープ用食品材料を含むことができる。
【００１７】
小便を検査すると、薄膜化学分析機は、白血球、血液、蛋白質、ニトリル、ｐＨ、比重、葡萄糖、ケトン、アスコルビン酸、ウロビリノーゲン、及びビリルビンの分析を行うことができる。髪の毛を検査すると、ミネラルを含む人間の身体内の営養分及び有毒物質の蓄積による履歴を血液や小便分析に比べてより正確に測定することができる。また、長期にわたる無機物質の過度及び不足を正確にわかることができ、 当業者によく知られた有毒な重金属の量を発見するサンプルとなる。生化学分析は、ＧＯＴ、ＧＰＴ、ＡＬＰ、ＬＤＨ、ＧＧＴ、ＣＰＫ、アミラーゼ、Ｔ−蛋白質、アルブミン、葡萄糖、Ｔ−コレステロール、トリグリセリド、Ｔ−ビリルビン、Ｄ−ビリルビン、ＢＵＮ、クレアチニン、I−リン、カルシウム、及び尿酸の分析を含むことができる。
【００１８】
急速テスト方法は、多種の腫瘍マーカーまたはキャプチャープローブ（capture probe）が多孔性メンブレイン上に線またはスポットの形態で固定されたストリップを含むことができる。急速テスト方法及びＥＬＩＳＡ方法は、基板上に線またはスポットの形態で固定された多種の腫瘍マーカーまたはキャプチャープローブを含むことができる。腫瘍マーカーは、ＡＦＰ、ＰＳＡ、ＣＥＡ、ＣＡ１９−９、ＣＡ１２５、胃癌マーカー、乳癌マーカー、肺癌マーカー及びＣＡ１５−３の中から選択された一つ以上を含むことができる。キャプチャープローブは、アルツハイマーマーカーであるグルタミン合成酵素を固定するものを含むことができる。
【００１９】
キャプチャープローブは、ミオグロビン、ＣＫ−ＭＢ、及び心筋硬塞マーカーであるトロポニンＩ（ＴｎＩ）を固定するものを含むことができる。急速テスト方法は、多孔性メンブレイン上にＡＩＤＳ、アルツハイマー、腫瘍マーカー、心筋硬塞、残余抗生剤、残余農薬、残余重金属、アレルギー及び乳癌検査、食品中毒細菌検査（例えば、大腸菌、サルモネラ等）用の一つ以上のマーカーまたはキャプチャープローブを固定した後に、免疫クロマトグラフィー法によって反応検査を行うことができる。免疫クロマトグラフィー法は、免疫化学及びクロマトグラフィー分析を結合した検査方法であり、抗原に対する抗体の特定免疫反応、コロイドゴールドの天然色特性及び流動性、及び多孔性メンブレインの毛細血管現象により分子移動を適用する検査方法を含むことができる。
【００２０】
免疫クロマトグラフィー法は、従来の多段免疫測定方法で見られる酵素コンプレックス及び基板の反応を通じてサンプル希釈、洗浄及び着色を一つの段階に結合し、迅速な検査を可能にする。また、容易性、経済的利点、及び検査結果の迅速な読取は、所定の装置を使用せずに検査結果を判定することによって得ることができる。免疫クロマトグラフィー法及び急速テスト方法は、当業者に周知のものである。
【００２１】
薄膜としてのＣＤ及びＤＶＤに対して、例えば、標準ＣＤは、１２ｃｍポリカーボネート基板、反射金属層及び保護ラッカーコーティングにより形成されることができる。ＣＤ及びＣＤ−ＲＯＭのフォーマットは、ＩＳＯ ９９６０産業標準に従って記載されることができる。ポリカーボネート基板は、光品質の透明ポリカーボネートでありうる。大量で印刷または複写されたＣＤ−標準のデータ層は、ポリカーボネート基板の一部になり得、データは、射出成形プロセスでスタンプにより一連のピット（pit）形態で刻まれることができる。射出成形プロセスでは、溶融ポリカーボネートが高圧下でモールドに注入され、ミラー形状を有するように冷却されて、ポリカーボネートがモールド、スタンプまたはスタンプのミラーイメージを有しうるようにし、２進データを表すディスク基板上のピットは、ポリカーボネート基板により生成されることができる。スタンプマスターは一般的にガラスでありうる。このディスクは、薄膜化学分析機などの流体中の少量の物質を診断及び検出する薄膜型分析機に変形及びリモデリング可能である。この場合、射出成形プロセス中に、流体の流れうるチャンネル、バッファ液体を貯蔵できるチャンバー、ホール及びバルブが、ピットではなくディスク表面上に形成されることができる。また、液体バーコード用の一連の液体バーは、ディスク上にバー形状チャンバーを装着することによって形成されることができる。ディスク径は、１２０ｍｍ、８０ｍｍ、または３２ｍｍである。
【００２２】
液体バーコードは、ラボオンチップ、蛋白質チップ、及びＤＮＡチップなどの流体中の少量のバイオまたは化学物質を診断及び検出する薄膜化学分析機用バーコードとして好適に用いることができる。以下、薄膜化学分析機がＣＤ−ＲＯＭ及びＤＶＤなどの通常のディスクに集積されたディスクは“バイオディスク”とする。
また、液体バーコードは、通常のＣＤ−ＲＯＭ及びＤＶＤなどのディスク及びバイオディスクに集積することができる。プラスチックボディーは、ガラス、シリカ及びシリコンウエハーなどの様々な物質に代替可能である。例えば、プラスチックは、経済上の理由、プロセシングの容易性、ＣＤ−ＲＯＭ及びＤＶＤリーダなどの従来のレーザー反射基本ディテクタとの互換性の点から好適に用いることができる。例えば、プラスチックボディーは、ポリプロピレン、ポリアクリレート、ポリメチルメタクリレート（ＰＭＭＡ）、環状オレフィンコポリマー（ＣＯＣ）及びポリカーボネートのグループから選択された一つ以上で形成することができる。
【００２３】
液体バーコードリーダーにおいて、分光計の光源は、それぞれ異なる波長を有する複数のレーザーがモジュール形態で形成されたレーザーモジュールでありうる。レーザーは、レーザーダイオードでありうる。
【００２４】
液体バーコードリーダーは、前記分光計が装着され、前記分光計の所定位置を前記バイオディスク上で放射方向に移動させるスライダー；前記バイオディスクを回転させるスピンドルモーター；及び、前記スライダーの移動を制御するスライドモーターをさらに含むことができる。スライダーは、バイオディスクの“放射方向移動”を通じてバイオディスク上に配列された液体バーコードの放射位置を移動させることができる。その後、バイオディスクを回転させることによって、液体バーコードは分光計により読み取られることができる。“放射方向移動”は、分光計を放射方向に移動させるプロセスであり、バイオディスクの中心から距離（ｒ）に対応する位置にスライダーを移動させることでありうる。スライドモーターまたはスレッド（sled）モーターのギアリンクユニットにより、スライダーは、バイオディスクの中心から外周方向に、または外周部からバイオディスクの中心へと可逆移動を行うことができる。
【００２５】
バイオディスクは、液体バーコードの半径（radius）上に基準ホールをさらに含み、フォトディテクタがバイオディスクの回転中に基準ホールを検出する度に、基準トリガー信号が液体バーコードリーダーに提供されるようにすることができる。以下、バイオディスク上の２次元位置は、距離（ｒ）及び各（θ）により表現されることができる。例えば、各（θ）は、０度線（zero degree line）上で基準ホールを取ることによって算出することができる。以下、液体バーコードの開始位置と終了位置は、（ｒ０、θstart）及び（ｒ０、θend）であるとする。
【００２６】
液体バーコードリーダーで、例えば、分光計は、バイオディスク上の液体バーコードを読み取る前に、まず、液体バーコードを該当の半径（ｒ０）に移動させる“放射方向移動”を行うことができる。“放射方向移動”は、分光計を放射方向に移動させるプロセスであり、スライダーをバイオディスクの中心から距離（ｒ０）に対応する位置に移動させることによって行うことができる。その後、半径（ｒ０）上の“方位角検索”が必要になりうる。“方位角検索”は、バイオディスクが回転する間に行われることができる。例えば、“方位角検索”は、基準トリガー信号及びＦＧ信号に対して半径（ｒ０）上の分光計により得られた検出信号から液体バーコード領域（ｒ０、θstart−θend）内の信号のみを得たり、余白を認識する分光計により液体バーコード領域を得ることによって行うことができる。ＦＧ信号は、三菱半導体Ｍ６３０２２ＦＰ（スピンドルモーター及び５チャンネルアクチュエータドライバ）のデータシートに説明されている。ＦＧ信号は、モーターの回転速度に比例する周波数信号である。一般に、ＦＧ信号は、当業者によく知られたモーターのホール（hall）センサーまたはＦＧセンサーにより得られる。ＦＧ信号の周波数は、モーターの速度に比例して増加することができる。ＦＧ信号のパルス間隔がバイオディスクの１回転、すなわち、３６０度に対応するので、液体バーコード領域（θstart−θend）は、基準トリガーから算出することができる。
【００２７】
“方位角検索”のためのバイオディスクの方位角回転は、スピンドルモーター上に設計されたステップモーターの回転により行うことができる。
液体バーコードリーダーにおいて、ＣＰＵは、分光計により読み取られた液体バーコードを認識し、インターネットを通じて液体バーコードの情報を遠隔で伝送し、商品が本物なのかに関する情報、商品識別情報及び商品情報を遠隔サーバーから受信することができる。サーバーは、クレジットカード会社またはディスクメーカーのサーバーでありうる。商品が本物でない場合は、２つの場合を想定できる。液体バーコードが商品自体に存在しない場合と、バーコードが存在してはいるが、バーコードが一致しない場合がありうる。いずれの場合にも、（遠隔）サーバーから商品識別情報を受信することができず、この場合、液体バーコードリーダーはボイスユニットまたはディスプレイユニットを通じてユーザーにエラーメッセージを伝達する。
【発明の効果】
【００２８】
本実施形態による液体バーコードは、薄膜型でありかつ複写不可能である。したがって、ＣＤ−ＲＯＭ及びＤＶＤなどの通常のディスク及び磁気カードなどの薄膜に集積され、当該商品の認証及び識別において信頼性を増大させることができる。また、本実施形態による液体バーコードは、様々な液体特性から、従来のバーコードに比べて制限なく情報量を増加させることができる。
【図面の簡単な説明】
【００２９】
【図１】従来のバーコードシステムを示す図である。
【図２】本発明の一実施形態による、プラスチックボディーに集積された液体バーの様々な例を示す図である。
【図３】本発明の一実施形態による、反射層を有する液体バーを集積した液体バーコードを示す図である。
【図４】本発明の一実施形態による、薄膜化学分析機の外周部に配置された液体バーコード及び磁気テープを示す図である。
【図５】本発明の一実施形態による、磁気カードに配置された液体バーコードを示す図である。
【図６】本発明の一実施形態による、バイオディスク上に配置された液体バーコードを読み取る液体バーコードリーダーの断面図である。
【図７】本発明の一実施形態による、バイオピックアップモジュール（ＢＯＰＭ）が設置配列されたスライダーの平面図である。
【図８】本発明の一実施形態による、図６の薄膜化学分析機を駆動及び制御する液体バーコードリーダーの側面図である。
【図９】本発明の一実施形態によるグレーティングミラーを用いる分光計を示す図である。
【発明を実施するための形態】
【００３０】
以下、添付の図面を参照しつつ、本発明の好適な実施形態について説明する。
【００３１】
図１は、従来のバーコードシステムを示す図である。従来のバーコードは、太いまたは細いバー（黒色バー）と、アルファベットまたは特殊シンボルを表すように形成配置されて容易に読み取られるようなスペースバー（白色バー）との組合せを含むことができる。また、バーの太さ及びスペースの幅の比によって約１５０種のバーコードシステムが存在する。バーコードは、それぞれのコードシステムによって表現されることができ、特定コードシステム内のバーコードの表現をバーコードシンボルという。バーコードシンボルは、バーコードの始部及び終部にブランクスペースを有する。ブランクスペースを余白（quiet zone）という。余白は、最も狭い要素の１０倍以上と定義される。余白は、開始文字前のブランク部分及び終了文字後のブランク部分を指し示す。余白は、一般的にバーコードの明白な開始と終了を具現する上で必須である。開始文字は、バーコードの含シンボル部分の先頭に記録された文字であり、データの入力方向及びバーコードのタイプをバーコードスキャナーに知らせる役割を果たすことができる。終了文字は、バーコードの含シンボル部分が終了したことを示し、バーコードスキャナーがバーコードの両端からバーコードを読み取るようにする。また、バーコードは、メッセージが正確に読み取られたかをチェックするのに用いられるチェック文字を含むことができる。チェック文字は、情報の正確性を要求するフィールドに用いることができる。バーコードシンボルは、人の目につく（数字、文字、シンボルなどを含みうる）バーコードの上部または下部上の“説明部位（interpretation line）”と呼ばれる情報を含むことができる。これらの部位はメーカーコード及び商品分類コードを含むことができる。
【００３２】
図２及び３は、本発明の一実施形態による、プラスチックボディーに集積された液体バー１３２の様々な例を示す図である。プラスチックボディーは、上部基板１、中間基板２、及び下部基板３で構成されることができる。中間基板２及び下部基板３は、一つの基板で同時に製造でき、この場合は、中間基板２と下部基板３は製造時に区別する必要はない。これらの基板は、射出成形プロセス中に、液体を貯蔵できる液体バー１３２を形成することができる。
本発明の一実施形態で、液体バーの幅、スペースバー１３４の幅、及びバーの個数は、バーコード標準に従えばいい。中間基板２と下部基板３を互いに接着した後に、液体を液体バー１３２に充填することができる。この場合、液体バー１３２は、毛細管法により容易に液体で充填されることができる。
【００３３】
本発明の一実施形態で、液体バー１３２の下部基板３の表面は、親水性物質で被覆することができる。親水性物質で被覆すると、液体バー１３２に液体をより容易に充填することができる。最後に、液体を充填した後、上部基板を付着することで、一連の液体バー１３２及びスペースバー１３４で形成された液体バーコード２００が完成する。例えば、製造プロセスで、中間基板２及び下部基板３とが積層形態で結合した状態で、ディスペンサ（所定量の液体を注入する注入部）により液体を液体バー１３２に所定量注入し、その後、上部基板１を積層形態で結合させることができる。
【００３４】
本発明の一実施形態で、液体バーコード２００を形成する上部基板１及び下部基板３にホール（液体注入ホール）は形成されない。これは、液体注入ホールの封止の不完全性による液体蒸発を防止するためである。本実施形態による液体バーコードは、液体蒸発を防止するために別途の液体注入ホールを有しない。
【００３５】
図２の左図は、反射層９９Ｂが液体バーコード２００の上部基板１に集積され、光源装置９９Ａ及びフォトディテクタ４６を含む分光計１０３Ａが液体バーコード２００の下部に配置された本発明の実施形態を示す。光源装置９９Ａにより生成された所定波長の光が液体バー１３２を通過し、反射層９９Ｂで反射された光をフォトディテクタ４６により測定することで、液体バー１３２の吸収量を測定する。この反射層９９Ｂを有する液体バーコードは、ハンドヘルドスキャナーの形態の液体バーコードリーダーにより読み取ることができる。一方、図２の右図は、反射層９９Ｂのない液体バーコードを示す。この場合、液体バーコードを、液体バーコード２００の一側（この例では液体バーコード２００の下部に図示する。）に光源装置９９Ａを配置し、液体バーコード２００の他側（この例では液体バーコード２００の上部に図示する。）にフォトディテクタ４６を配置することによって、読み取ることができる。図３は、本発明の実施形態による図２の左図に示すように反射層９９Ｂを有する液体バーを集積した液体バーコードを示す図である。
【００３６】
図４は、本発明の一実施形態による、図２の液体バーがバイオディスク１００の外周部に配置された液体バーコード２００を示す図である。この場合、外周方向にバイオディスクに埋め込まれた一連の液体バーは、分光計１０３Ａにより読み取ることができる。ここで、光源装置９９Ａは所定波長の光を選択して液体バーのそれぞれに出力し、波長に対して吸収性を測定することで、液体バーコードを読み取ることができる。
【００３７】
本発明の実施形態で、例えば、“放射方向移動”及び“方位角検索”は、分光計１０３Ａをスライダー２１１上に装着することによって分光計１０３Ａによる液体バーコードの読み取を先に行うことができる。分光計のフォトディテクタ４６は、ＣＣＤイメージセンサー、ＣＭＯＳイメージセンサーまたはラインイメージセンサーとすることができる。
本発明の一実施形態で、ラインイメージセンサーは、線形センサーアレイまたはコンタクトイメージセンサー（ＣＩＳ）でありうる。さらに、分光計はバイオディスクの生化学反応チャンバー１３３の反応結果を読み取ることができる。生化学反応チャンバーは、バイオ物質サンプルとの生物学的または生化学的反応を行ったりサンプルとの特定結合反応を行ったりするキャプチャープローブ（capture probe）が固定されているチャンバーでありうる。参照番号１８８は磁気テープである。
【００３８】
図５は、本発明の一実施形態による、磁気カード３００に配列された液体バーコード２００を示す図である。この場合、磁気テープ１８８を読み取りながら液体バーコード２００を同時に読み取ることによって、磁気テープ１８８及び液体バーコード２００の情報を結合または比較することで、磁気テープ１８８の真偽を判定することができる。磁気テープ１８８及び液体バーコード２００は、磁気カードの認証に必要な情報及び個別暗号情報を格納することで、カードの複製や他人によるカードの不正使用を防止することができる。
【００３９】
本発明の一実施形態による液体バーコードリーダーにおいて、例えば、磁気カード３００上の液体バーコード２００の読み取りまたは液体バーコード２００及び磁気テープ１８８の読み取りから、液体バーコードリーダー１００Ａ上に現在ローディングされているプラスチックボディーが本物のクレジットカードか否かを認識できる。
参照番号６５Ａ及び６５Ｂはそれぞれ開始余白及び終了余白を表す。
【００４０】
図６は、本発明の一実施形態による、バイオディスク１００上に配列された液体バーコード２００を読み取る液体バーコードリーダー１００Ａの断面図である。図６を参照すると、バイオディスク１００で、分析の全体プロセスが通常のＣＤ−ＲＯＭまたはＤＶＤに類似しているディスクのように薄膜であるラボオンチップ（lab-on-a-chip）上に集積される。例えば、分析に必要な様々なバッファ液体が貯蔵され、様々な化学プロセスを行うチャンバー１３０，１３１，１３２，１４０，１４１，１４２，１５０，１５１，１５２，１５３、プロセシングされた流体及びバッファ液体を移動させるチャンネル、チャンネルの開閉を制御するバルブ７０Ａ，７０Ｂ，７０Ｃ，７０Ｄ，７０Ｅ，７０Ｆ，７０Ｇ，７１Ａ，７１Ｂ，７１Ｃ，７１Ｄをバイオディスク１００上に集積することができる。参照番号４Ａ，４Ｂ，４Ｃは、該当のバルブの閉止部を表し、参照番号５Ａは、移動可能なバルブ開閉部を表す。参照番号１２１は、サンプルを注入するアパーチャを表し、参照番号１２０は、サンプルを注入するユニットを表す。参照番号１２は排出口を表す。参照番号２１１は、分光計１０３Ａを装着したスライダーを表し、スライダー２１１は、スライドモーター１０９に接続して駆動制御されることができる。スライダー２１１は、液体バーコード２００を読み取ったり生化学反応チャンバー１３３の量的または質的分析を行う分光計１０３Ａ、及び通常の光ディスクＣＤまたはＤＶＤ上のデータを再生（プレイ）する光ピックアップ部１０３Ｂを装着することができる。バイオディスク１００における生化学反応チャンバー１３３または液体バーコード２００の空間的アドレシングは、スライドモーター１０９を制御して、分光計１０３Ａを該当の位置に空間的に移動させることによってなる。この場合、分光計１０３Ａは、生化学反応チャンバー１３３及び液体バーコード２００を読み取ることができる。放射方向移動は、スライドモーター１０９を制御することによって行うことができる。“方位角検索”は、スピンドルモーター１０２の短い回転または連続回転を制御したり、スライダー２１１を停止させながらステップモーターを制御してバイオディスク１００を所定角度回転させることによって行うことができる。ステップモーターはスピンドルモーターの軸上でギアと結合して動作できる。参照番号１１０Ｂは、スライダー２１１上の分光計１０３Ａ及び光ピックアップ装置１０３Ｂに必要な様々な制御信号を伝送するフレキシブルケーブルを表し、このフレキシブルケーブルは、ウエハーまたはハーネス（harness）１１０Ａを通じて中央処理装置（ＣＰＵ）１０１に接続することができる。参照番号１８１は、バイオディスク１００が載置されるターンテーブルを表し、ディスクの中央アパーチャ１７０により、ディスクの前面または上部がターンテーブル１８１上にローディングされる。
【００４１】
本発明の一実施形態において、例えば、液体バーコードリーダー１００Ａは、液体バーコード２００または磁気テープ１８８の読み取り結果を格納装置１１３に格納したり、入出力装置１１１を通じて伝送することができる。すなわち、ＣＰＵ１０１は、入出力装置１１１により、分光計で読み取られた液体バーコードを認識し、インターネットを通じて液体バーコードの情報を遠隔で伝送し、サーバーから商品が本物か否かに関する情報、商品識別情報及び商品情報または認証情報を受信する通信部を提供する。
本発明の一実施形態で、例えば、入出力装置１１１は、ユニバーザルシリアルバス（ＵＳＢ）、ＩＥＥＥ １３９４、ＡＴＡＰＩ、ＳＣＳＩまたはインターネット通信ネットワークの通信標準に従うことができる。参照番号１１０は、磁気テープ１８８を読み取る磁気カードリーダーを表す。
【００４２】
図７は、本発明の一実施形態によって分光計１０３Ａ及び光ピックアップ装置１０３Ｂが設置及び配列されたスライダー２１１の平面図である。ターンテーブル１８１を中心にしたスライダー２１１の可逆放射方向移動は、スライダーモーター１０９に連結されたウオームギヤ連結部１０９Ａ及び１０９Ｂにより制御することができる。スライダー２１１は、スライドアーム１０８Ａ及び１０８Ｂをガイドとして用いてスライディング方式で移動可能である。スライドアーム１０８Ａ及び１０８Ｂは、ねじ１１０Ａ，１１０Ｂ，１１０Ｃ，１１０Ｄにて液体バーコードリーダー１００Ａの本体に結合することができる。参照番号１００Ｂは、ウエハーまたはハーネスを用いて連結されうるフレキシブルケーブルを表す。参照番号１８１は、スピンドルモーター１０２により回転するターンテーブルを表す。
【００４３】
本発明の一実施形態において、磁気テープは、バイオディスクに埋め込まれた後に配置されることができる。この場合、磁気テープは外部危険から保護されることができる。参照番号５Ａは、スライダー２１１上に設置された移動可能なバルブ開閉部を表す。
【００４４】
図８は、本発明の一実施形態による、図６に示すバイオディスク１００を駆動及び制御する液体バーコードリーダー１００Ａの側面図である。参照番号３００は、液体バーコードリーダー１００Ａを支持する本体を表す。液体バーコードリーダーの下部においては、回路基板１４０が液体バーコードリーダー１００Ａの本体３００に接続結合される。液体バーコードリーダーを制御するＣＰＵ１０１及び格納装置１１３または入出力装置１１１は、回路基板１４０上に配置設計されている。ＣＰＵ１０１は、バイオディスク１００を回転または停止させるスピンドルモーター１０２を制御し、スライドモーター１０９の制御を通じてスライダー２１１上に装着された光ピックアップ装置１０３Ｂの移動を制御し、液体バーコード２００及び生化学反応チャンバー１３３を読み取る分光計１０３Ａの位置を移動させることができる。また、ＣＰＵ１０１は、液体バーコードリーダー１００Ａ上に現在ローディングされているディスクが通常の光ディスク（例えば、音楽ＣＤ、ＣＤ−Ｒ、ゲームＣＤ、ＤＶＤ等）かまたはバイオディスク１００か判定する。通常の光ディスクであれば、ＣＰＵ１０１は、ディスクから読み取られた内容（データ）を光ピックアップ装置１０３Ｂから格納装置１１３または入出力装置１１１に伝送したり、光ピックアップ装置１０３Ｂに書き込まれる内容（データ）を伝送し、個別のユニットに読み取り及び／または書き込みに必要な様々な制御信号を提供する等の光ディスクの通常の動作を行う。ディスクがバイオディスクであれば、ＣＰＵ１０１は、ラボオンチップのプロセスを制御する様々な制御命令信号を個別のユニットに伝送することができる。
【００４５】
本発明の一実施形態において、例えば、バイオディスクのローディング時に、バーコードリーダー１００Ａは液体バーコード２００または磁気テープ１８８を読み取って、バイオディスクの有効性及び薄膜化学分析機の商品情報を判定し、バイオディスクの商品認証を行うことができる。
本発明の一実施形態において、例えば、バイオディスク１００の液体バーコードまたは磁気テープの読み取りを通じてバイオディスク１００の固有識別情報を認識することによって、ＣＰＵ１０１は、液体バーコードリーダー１００Ａ上に現在ローディングされているディスクがバイオディスクであるか否かを認識することができる。
【００４６】
本発明の一実施形態において、例えば、液体バーコード２００または生化学反応チャンバー１３３の読み取り結果は、スライダー２１１に連結されたフレキシブルケーブル１１０Ｂを通じてＣＰＵ１０１または格納装置１１３または入出力装置１１１に伝送されることができる。参照番号１０４は、ターンテーブル１８１上にローディングされたバイオディスク１００の圧縮部を表し、圧縮部１０４は、垂直方向に移動したりアイドリング回転（idle rotations）を行うように設計される。分光計の光源装置は、透過性または吸収性を測定するために複数の光波長を出力し、フォトディテクタが特定波長に対して光透過性または吸収性を測定するようにすることができる。例えば、分光計は、当業者によく知られた光源、波長選択器、サンプルコンテナ（テストチューブまたは生化学反応チャンバー１３３）及びフォトディテクタからなる。分光計は、ブランクソリューションを用いて透過性が１００％（ゼロ吸収性）になるように調節でき、サンプルソリューションの吸収性を測定することができる。光源は、サンプル分析に必要な波長範囲で充分のエネルギーを有する一定量の光を放出できるものを含むことができる。光源として、タングステンフィラメントランプ、水素または重水素ランプ、白色光発光ダイオード（ＬＥＤ）、電子フラッシュ及びレーザーを用いることができる。本発明の一実施形態によれば、光源は、白色光ＬＥＤ、ＲＧＢレーザー、複数のＬＤが集積されたレーザーダイオード（ＬＤ）モジュール、または電子フラッシュでありうる。ＲＧＢレーザーは、赤色、緑色、及び青色光を放出する３個のレーザーが一つのモジュールとして形成された装置である。３個のレーザー出力パワーを結合させることによって、サンプル分析に必要な様々な波長を有する光を得ることができる。ＬＤモジュールは、それぞれ異なる波長を有する複数のＬＤをモジュール化し、所定波長の光を放出するＬＤを順にターンオンすることによって得られ、波長に対するサンプルの吸収を測定することができる。波長は、３４０ｎｍ、４０５ｎｍ、４５０ｎｍ、５０５ｎｍ、５４６ｎｍ、５７０ｎｍ、６００ｎｍ及び７００ｎｍの中から一つ以上を選択することができる。電子フラッシュがターンオンされる時、フォトディテクタが測定対象の吸収性を測定することができる。白色光ＬＥＤまたはＲＧＢレーザーまたはＬＤモジュールまたは電子フラッシュは、光源装置の大きさを減少させることができる。光源から放出された光が白色光であれば、分光計が光源から放出された光から所定波長の光を得ることが重要である。理想的な場合、厳格な単色性放射が得られる。しかし、これは実現し難いので、任意の範囲の波長分布を表す光の単色化度合が、スペクトラムの帯域幅を特定することによって表現されることができる。光源の単一波長にさらに近い光は、測定敏感度及び解像度を増加させることができる。所望の波長を有する光は、波長選択器を用いて選択することができる。フィルターまたはグレーティングミラーまたはその組合せを波長選択器とすることができる。グレーティングミラーは入射光を分散方式で反射させる一種のプリズムの役割を果たすことができる。
【００４７】
図９は、本発明の一実施形態によるグレーティングミラーを用いる分光計１０８（図示せず）を示す図である。分光計１０８は、光源装置９９Ａ及びフォトディテクタ４６からなることができる。図９を参照すると、光源４１からの白色光がレンズ４２により集束されてビームを生成し、ビームは、第１Ｈスリット及びＶスリット４５Aを通過してスポットビームを生成する。スポットビームがグレーティングミラー４３に入射すると、グレーティングミラー４３上で反射された光は波長に対して位相空間で分離されることができる。第２Ｈスリット及びＶスリット４５Ｂが所定の角度で固定配列され、グレーティングミラー４３で反射された後に位相空間で分離された光のうち、所定波長を有する光のみが得られることができる。この場合、ステップモーター４４を用いてグレーティングミラー４３を回転させることによって、第２Ｈスリット及びＶスリット４５Ｂを通過した光の波長を調節することができる。すなわち、グレーティングミラー４３の回転角を制御することによって、所望の所定波長領域の光が透過して第２Ｈスリット及びＶスリット４５Ｂの出口から得られる。したがって、所定波長を有する光は、生化学反応チャンバー１３３及び液体バー１３２を通過し、フォトディテクタ４６はこの光を測定する。こうすることによって、カラーの強度または吸収量または透過量を測定し、液体の光特性を定量的に分析することができる。分光計を用いた生化学反応チャンバー１３３の量的または質的分析方法として、当業者によく知られたエンドポイント方法（end point method）、レート分析方法（rate assay method）、及び初期レート方法（initial rate method）などの方法を用いることができる。参照番号４１は、分光計１０８の光源を表す。波長選択器は、グレーティングミラー４３の回転角を制御するステップモーター４４、光源からの光を集束するレンズ４２、集束したビームからスポットビームを生成する第１ＨスリットまたはＶスリット４５Ａ、波長に対してスポットビームを分離するグレーティングミラー４３及びグレーティングミラー４３から反射された所定角のビーム（すなわち、所定波長を有する光）のみを通過させる第２ＨスリットまたはＶスリット４５Ｂからなることができる。光源４１及び波長選択器により得られた所定波長を有する光は、生化学反応チャンバー１３３または液体バー１３２を通過し、フォトディテクタ４６は光の吸収量を測定する。これにより、生化学反応チャンバー１３３の化学反応結果を量的または質的に分析したり、液体バーコードを読み取ることができる。ステップモーター４４を回転させることによって、様々な波長の光が生化学反応チャンバー１３３または液体バー１３２を通過することができ、光の吸収量を波長に対して測定することができる。
【００４８】
本発明の一実施形態において、第１ＨスリットまたはＶスリットあるいは第２ＨスリットまたはＶスリットの代わりに光ファイバーを用いても良い。以下、光源４１、レンズ４２、第１ＨスリットまたはＶスリット４５Ａ、グレーティングミラー４３、及び第２ＨスリットまたはＶスリット４５Ｂの組合せを、光源装置９９Ａとする。ＬＤモジュール及びＲＧＢモジュールを光源装置９９Ａに用いても良く、その場合、光源装置９９Ａは簡易化することができる。余白６５Ａ及び６５Ｂの液体バーは、ブランクソリューションを貯蔵することができる。分光計を調節してブランクソリューションの透過性を１００％（ゼロ吸収性）にさせた後に、データ領域内の液体バー中の液体の吸収性を測定することができる。バイオディスクが回転する間にはブランクソリューションの吸収性が常に“０”になるように設定し、余白６５Ａ及び６５Ｂが最も狭い要素よりも１０倍広い幅を有するという事実に基づいて余白６５Ａ及び６５Ｂが認識され、これにより、液体バーコードの開始と終了を認識することができる。したがって、バイオディスクが回転する間に、液体バーコードの空間アドレシング及び読み取りが可能である。また、例えば、開始余白６５Ａ及び終了余白６５Ｂの幅を異ならせることによって両者を区別することができる。
【００４９】
本発明の一実施形態による液体バーコードリーダーにおいて、例えば、ＣＰＵ１０１は読み取られた液体バーコードまたは磁気テープの情報を認識でき、通常の光ディスク（ＣＤ及びＤＶＤ）または使用不可能なバイオディスクがローディングされたと判定されると、液体バーコードリーダーからディスクを取り出したり警告メッセージをユーザーに伝達する。また、磁気テープには、ディスクが既に何回使用されたバイオディスクかに関する情報、有効期間情報、または診断しようとする疾病のタイプが格納されることができる。すなわち、使い捨てバイオディスクが使用途中にまたは使用完了後に排出されると、履歴が磁気テープに記録される。当該バイオディスクが後にローディングされる場合、ユーザーは、このバイオディスクを診断用に利用できないということがわかる。また、有効期間情報によると、有効期間の経過したバイオディスクがローディングされる場合、ユーザーは、このバイオディスクを診断用に利用できないということがわかる。
【００５０】
本発明が好適な実施形態に上げて説明されてきたが、当業者には、添付の特許請求の範囲により定義された本発明の思想及び範囲を逸脱しない限度内で形態及び詳細において様々な変更が可能であるということが理解できる。好適な実施形態は、単に本発明を説明するためのもので、本発明を限定するためのものではない。したがって、本発明の範囲は、本発明の詳細な説明により定義されずに、添付の特許請求の範囲により定義されるべきであり、範囲内におけるあらゆる差異点は本発明に含まれる。
【符号の説明】
【００５１】
１：上部基板
２：中間基板
３：下部基板
４Ａ，４Ｂ，４Ｃ：バルブ閉止部
５Ａ：バルブ開閉部
１２：排出口
４６：フォトディテクタ
６５Ａ：開始余白
６５Ｂ：終了余白
７０Ａ〜７１Ｄ：バルブ
９９Ａ：光源装置
９９Ｂ：反射層
１００：バイオディスク
１００Ａ：液体バーコードリーダー
１０１：ＣＰＵ
１０２：スピンドルモーター
１０３Ａ：分光計
１０３Ｂ：光ピックアップ装置
１０４：圧縮部
１０８Ａ，１０８Ｂ：スライドアーム
１０９：スライドモーター
１１０：磁気カードリーダー
１１０Ａ：ウエハーまたはハーネス
１１０Ｂ：フレキシブルケーブル
１１１：入出力装置
１１３：格納装置
１２０：サンプル注入部
１２１：サンプル注入開口部
１３０，１３１，１３２、１３３，１４０，１４１，１４３，１５０，１５１，１５２，１５３：チャンバー
１３２：液体バー
１３４：スペースバー
１４０：回路基板
１７０：アパーチャ
１８１：ターンテーブル
１８８：磁気テープ
２００：液体バーコード
２１１：スライダー
３００：磁気カード
【図１】
2011503686.tif 000003
【図２】
2011503686.tif 000004
【図３】
2011503686.tif 000005
【図４】
2011503686.tif 000006
【図５】
2011503686.tif 000007
【図６】
2011503686.tif 000008
【図７】
2011503686.tif 000009
【図８】
2011503686.tif 000010
【図９】
2011503686.tif 000011
【国際調査報告】
2011503686.tif 000012
2011503686.tif 000013